(57)【要約】      （修正有）【課題】設置が簡便で有りまた単純な構成により安価で確実な作動が可能な動物用罠装置を提供する。【解決手段】枠体１と踏み板１０とが一体となるよう構成されている。踏み板１０は、中央踏み板片、右側踏み板片及び左側踏み板片からなり、互いにヒンジで回動自在に接続されている。また、各踏み板片同士の対向部には、各踏み板同士が下向きに屈曲するのを防止するための踏み板ストッパーが設けてある。踏み板片の自由端部にはそれぞれ受け板１３が外側に向かって延出されている。また、踏み板片の両側にはＵ字状ワイヤ保持枠ステー８が立設され、Ｕ字状ワイヤ保持枠固定ピン２１により一対のＵ字状ワイヤ保持枠２０がそれぞれ回動自在になるよう連結されている。これら一対のＵ字状ワイヤ保持枠２０の両側にはそれぞれバネ取り付け具２６が設けられ圧縮バネ２５により両方のＵ字状ワイヤ保持枠２０が付勢されている。【選択図】図１
0003195166.tif 000002
【実用新案登録請求の範囲】
【請求項１】
一定高さを有する壁部により構成された枠体と、前記枠体に収納可能な外形を有する踏み板表面に、外周が楕円を形成するように一対のＵ字状ワイヤ保持枠が前記踏み板表面に対してそれぞれ垂直方向に回動自在に配置されている踏み板と、先端がループ状に構成され、前記ループ径を自在に変更できる手段とループ径を縮小する方向に付勢する手段とを有する捕獲ワイヤとからなり、動物が乗ることにより前記踏み板が沈み込むと前記Ｕ字状ワイヤ保持枠が跳ね上がり前記捕獲ワイヤが動物の足に絡みつく動物捕獲用罠装置において、前記一対のＵ字状ワイヤ保持枠同士の角度がセット状態で水平より下向きなるよう構成されており、前記Ｕ字状ワイヤ保持枠同士がバネにより結合されていることを特徴とする動物捕獲用罠装置。
【請求項２】
前記バネが前記Ｕ字状ワイヤ保持枠の両側に１本ずつ配置されていることを特徴とする請求項１記載の動物捕獲用罠装置。
【請求項３】
前記バネが前記Ｕ字状ワイヤ保持枠の両側に２本ずつ配置されており、各側において前記バネ同士が脱着可能に連結されていることを特徴とする請求項１記載の動物捕獲用罠装置。
【請求項４】
前記Ｕ字状ワイヤ保持枠の各々が、幅方向にＶ字またはＵ字状に屈曲した平坦金属板をＵ字状に成形したものであることを特徴とする請求項１乃至３のいずれかに記載の動物捕獲用罠装置。
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この装置においては、踏み板と作動部材は一体であるが枠体は分離されているため、ワイヤを設置する際に特別な安全装置を取り付けた上で行わなければならない。【０００５】  さらに、特許文献３では、本体台座の内側壁面に跳ね上げストッパーを装着した踏み板を構成する中軸を設け、本体台座に設けた中軸の両端部に装着した跳ね上げスプリングと接合したＵ字アームを本体台座の外側壁面に装着した猪捕獲補助器具が開示されている。しかしながらこの装置では、地面に凹部を形成して設置しなければならないため、表面が柔らかいところではうまく作動ができない可能性がある。また、跳ね上げストッパーの構成が詳しく記述されていないため、羽根部の保持と作動時の解放の応力配分が困難であるという問題点がある。
【特許文献】
【０００６】
【特許文献１】実用新案登録第３１２７８３２号公報
【特許文献２】実用新案登録第３１５４１９５号公報
【特許文献３】実用新案登録第３１６０１５０号公報
【考案の開示】
【考案が解決しようとする課題】
【０００７】  本考案は上記従来技術の問題点に鑑みてなされたものであり、設置が簡便で有りまた単純な構成により安価で確実な作動が可能な動物用罠装置を提供することを課題とする。
【課題を解決するための手段】
【０００８】  上記課題を解決するため本考案による動物用罠装置は、一定高さを有する壁部により構成された枠体と、前記枠体に収納可能な外形を有する踏み板表面に、外周が楕円を形成するように一対のＵ字状ワイヤ保持枠が前記踏み板表面に対してそれぞれ垂直方向に回動自在に配置されている踏み板と、先端がループ状に構成され、前記ループ径を自在に変更できる手段とループ径を縮小する方向に付勢する手段とを有する捕獲ワイヤとからなり、動物が乗ることにより前記踏み板が沈み込むと前記Ｕ字状ワイヤ保持枠が跳ね上がり前記捕獲ワイヤが動物の足に絡みつく動物捕獲用罠装置において、前記一対のＵ字状ワイヤ保持枠同士の角度がセット状態で水平より下向きなるよう構成されており、前記Ｕ字状ワイヤ保持枠同士がバネにより結合されていることを特徴とする。【０００９】  前記バネが前記Ｕ字状ワイヤ保持枠の両側に１本ずつ配置されているか、或いは前記Ｕ字状ワイヤ保持枠の両側に２本ずつ配置されており、各側において前記バネ同士が脱着可能に連結されていてもよい。【００１０】  また、前記Ｕ字状ワイヤ保持枠の各々が、幅方向にＶ字またはＵ字状に屈曲した平坦金属板をＵ字状に成形したものであることも好適である。
【考案の効果】
【００１１】  本考案による動物用罠装置は、一対のＵ字状ワイヤ保持枠をバネにより結合されており、これらのＵ字状ワイヤ保持枠同士の角度がセット状態で水平より下向きなる（互いの角度が１８０度超）よう構成されているため、これらのＵ字状ワイヤ保持枠はバネの圧縮力により下向きの力を受けるため、付勢された捕獲ワイヤを取り付けた場合に他の追加部品がなくても捕獲ワイヤが発射されることなくセット状態を維持することができる。また、踏み板が踏まれてＵ字状ワイヤ保持枠同士の角度が１８０度未満になると、今度はＵ字状ワイヤ保持枠同士を近づける、すなわち捕獲ワイヤを発射する方向に応力が働くため、捕獲ワイヤの発射速度を増加することができる。さらに、前記Ｕ字状ワイヤ保持枠の各々を、幅方向にＶ字またはＵ字状に屈曲した平坦金属板をＵ字状に成形することで、溝部を深く大きくすることができるため、捕獲ワイヤの取り付けが容易かつ確実となる。
【考案を実施するための最良の形態】
【実施例】
【００１２】  以下、図面に基づいて本考案の好適な実施例について説明する。図１に本考案による罠装置の一実施例の斜視図を示す。この実施例では、枠体１と踏み板１０とが一体となるよう構成されている。図１に示した実施例の底面図を図２に示す。踏み板１０は、中央踏み板片１０Ａ、右側踏み板片１０Ｂ及び左側踏み板片１０Ｃからなり、互いにヒンジで回動自在に接続されている。また、各踏み板片同士の対向部には、各踏み板同士が下向きに屈曲するのを防止するための踏み板ストッパー１２が設けてある。踏み板片１０Ｂ、１０Ｃの自由端部（踏み板片１０Ａと接していない側の端部）にはそれぞれ受け板１３が外側に向かって延出されている。また、踏み板片１０Ａの両側にはＵ字状ワイヤ保持枠ステー８が立設され、Ｕ字状ワイヤ保持枠固定ピン２１により一対のＵ字状ワイヤ保持枠２０がそれぞれ回動自在になるよう連結されている。これら一対のＵ字状ワイヤ保持枠２０の両側にはそれぞれバネ取り付け具２６が設けられ圧縮バネ２５により両方のＵ字状ワイヤ保持枠２０が付勢されている。また、それぞれの受け板１３は、Ｕ字状ワイヤ保持枠２０の回動軌道を横切る長さに設定されている。【００１３】  枠体１は四角形に形成され、３枚の踏み板片１０Ａ、１０Ｂ、１０Ｃをその内側に収納できる大きさを有している。枠体１の対向する２辺には中央部に受け板貫通穴６がそれぞれ形成されており、その左右に２箇所ずつＵ字状ワイヤ保持枠用切り欠き部４が設けてある。受け板貫通穴６の形成してない両面には左右にそれぞれ長穴３が設けてあり、各長穴３を通して枠体１内部のＵ字状ワイヤ保持枠２０の回動軌道上にＵ字状ワイヤ保持枠跳ね上げピン５が突出するようＵ字状ワイヤ保持枠跳ね上げピン固定ネジ７により固定されている。【００１４】  枠体１と踏み板１０とは、受け板１３が受け板貫通穴６を貫通する形で枠体１外部に突出するよう組み立てられているため、踏み板１０が上下に動いても受け板１３が受け板貫通穴６内で若干移動することにより踏み板１０の動きを阻害しないように構成されており、このような動きがあっても枠体１と踏み板１０は分離しないように構成されている。この組み立てられた状態を図４に示す。圧縮バネ２５がＵ字状ワイヤ保持枠２０を引っ張る状態で取り付けられているため、通常は、一対のＵ字状ワイヤ保持枠２０同士が所定の角度を持って保持されている。【００１５】  一対のＵ字状ワイヤ保持枠２０をそれぞれいっぱいに開いた状態の側面図を図３に示す。図４の状態においてＵ字状ワイヤ保持枠２０同士を下に押し下げていくと、始めは圧縮バネ２５の圧縮力に逆らうことになるため上向きの反発力を受けるが、Ｕ字状ワイヤ保持枠２０同士の角度が１８０度を超える（図３において、Ａ−Ａ’線とＢ−Ｂ’線のなす角及びＡ−Ａ’線とＣ−Ｃ’線のなす角がそれぞれ正になる）と、圧縮バネ２５の圧縮力はＵ字状ワイヤ保持枠２０を下向きに回動させる方向の応力となる。しかし、Ｕ字状ワイヤ保持枠２０の回動は受け板１３及び各Ｕ字状ワイヤ保持枠用切り欠き部４により規制されるため、図３に示した状態で罠装置は安定する。このとき、各踏み板片１０Ａ、１０Ｂ、１０Ｃは、踏み板ストッパー１２により回動を規制されるため���略水平に保持される。この状態では、各Ｕ字状ワイヤ保持枠２０には圧縮バネ２５による下向きの応力が働いているため、捕獲ワイヤをＵ字状ワイヤ保持枠２０の溝部２４に沿って取り付けても捕獲ワイヤが発射されることはない。【００１６】  上記実施例の使用状況について説明する。図１に示した状態の本考案実施例を図３に示した状態で地面に置く。Ｕ字状ワイヤ保持枠２０の周囲に沿ってループ状捕獲ワイヤ（図示してない、市販のものが利用できる）を巡らし、ループの径が縮小する方向に付勢して保持しておく。この捕獲ワイヤの例としては、例えば特許文献２の図４に示されている。【００１７】  動物が３枚の踏み板片１０Ａ、１０Ｂ、１０Ｃのいずれかの部分を踏んだ際に、中央踏み板片１０Ａが中心となって下方に沈み込む。この際、受け板１３は踏み板姿勢保持板貫通穴６内で枠体１の内側方向に移動し、踏み板片１０Ｂ、１０Ｃの作動を妨害しない。Ｕ字状ワイヤ保持枠２０も下方へ沈み込もうとするが、Ｕ字状ワイヤ保持枠跳ね上げピン５によりその動きを規制されるため、Ｕ字状ワイヤ保持枠２０が上方への回動を開始し、角度が１８０度未満になると圧縮バネ２５の圧縮力と捕獲ワイヤの縮小力により加速されて捕獲ワイヤを発射する。これにより、捕獲ワイヤが動物の脚に絡みつくことになる。【００１８】  上記の実施例による罠装置が作動した後は、図４に示したようにＵ字状ワイヤ保持枠２０同士が所定の角度を持って上方に突出する形となる。この状態で動物に踏まれると装置が損傷する可能性がある。従って、圧縮バネ２５は、Ｕ字状ワイヤ保持枠２０のいずれかに取り付けているバネ取り付け具２６から容易に解放されるようにしておくことも好適である。いずれかの側で圧縮バネ２５が外れると、Ｕ字状ワイヤ保持枠２０は互いに開いた状態で角度が大きくなるため、損傷の危険性が減少する。【００１９】  また、上記実施例では、圧縮バネ２５として１本のバネを使用したが、バネを２本としてそれぞれのバネをＵ字状ワイヤ保持枠２０に離脱しないように固定した上で、両方のバネを中央で脱着可能に結合することもできる。この場合は、罠装置作動時に圧縮バネ２５が中央において分離することによりＵ字状ワイヤ保持枠２０同士をフリー状態とする。【００２０】  上記実施例に使用したＵ字状ワイヤ保持枠は、従来金属棒を切削等により溝部２４を形成した上で屈曲してＵ字状としていたが、切削の場合溝部が浅くまた小さいため捕獲ワイヤとの密着性に問題があった。本考案においては、最初に金属板をプレス成形によりＶ字またはＵ字状に成形した後に屈曲してＵ字状ワイヤ保持枠２０とした。金属板の成形であるため溝部が深く広く形成できるため、捕獲ワイヤとの密着性が格段に向上できる。【００２１】  以上、３枚に分割された踏み板を使用した罠装置についての実施例を説明したが、分割されていない１枚だけの踏み板を用いた罠装置にも本考案が適用できることはもちろんである。
【産業上の利用可能性】
【００２２】  以上説明したように、本考案による動物用罠装置は、一対のＵ字状ワイヤ保持枠をバネにより結合されており、これらのＵ字状ワイヤ保持枠同士の角度がセット状態で水平より下向きなる（互いの角度が１８０度超）よう構成されているため、これらのＵ字状ワイヤ保持枠はバネの圧縮力により下向きの力を受けるため、付勢された捕獲ワイヤを取り付けた場合に他の追加部品がなくても捕獲ワイヤが発射されることなくセット状態を維持することができる。また、踏み板が踏まれてＵ字状ワイヤ保持枠同士の角度が１８０度未満になると、今度はＵ字状ワイヤ保持枠同士を近づける、すなわち捕獲ワイヤを発射する方向に応力が働くため、捕獲ワイヤの発射速度を増加することができる。さらに、前記Ｕ字状ワイヤ保持枠の各々を、幅方向にＶ字またはＵ字状に屈曲した平坦金属板をＵ字状に成形することで、溝部を深く大きくすることができるため、捕獲ワイヤの取り付けが容易かつ確実となる。従って、有害動物捕獲に極めて有用である。
【図面の簡単な説明】
【００２３】
【図１】本考案の実施例を示す斜視図である。
【図２】図１に示した実施例の底面図である。
【図３】図１に示した実施例の側面図である。
【図４】図１に示した実施例において、Ｕ字状ワイヤ保持枠が作動した状態を示す図である。
【符号の説明】
【００２４】１            枠体
２            捕獲ワイヤ用切り欠き部
３            長穴
４            Ｕ字状ワイヤ保持枠用切り欠き部
５            Ｕ字状ワイヤ保持枠跳ね上げピン
６            受け板貫通穴
７            Ｕ字状ワイヤ保持枠跳ね上げピン固定ネジ
８            Ｕ字状ワイヤ保持枠ステー
１０          踏み板集合体
１０Ａ        中央踏み板片
１０Ｂ        右側踏み板片
１０Ｃ        左側踏み板片
１１          ヒンジ
１２          踏み板ストッパー
１３          受け板
２０          Ｕ字状ワイヤ保持枠
２１          Ｕ字状ワイヤ保持枠固定ピン
２２          凹曲部
２３          凸状部
２４          溝部
２５          バネ
２６          バネ取り付け具
【図１】
0003195166.tif 000003
【図２】
0003195166.tif 000004
【図３】
0003195166.tif 000005
【図４】
0003195166.tif 000006